(57)【特許請求の範囲】
【請求項１】
時計機構と、修正時刻データ受信コイルを含み該コイルで受信した修正時刻データに従って時計機構の表示時刻を修正する時刻修正機構と、時計機構及び時刻修正機構の電源として働く小型の二次電池とを備えたウオッチ本体と、
電源として大型の二次電池を備えウオッチ本体に着脱可能なウオッチタイプ電波修正時計枠体であって、ウオッチ本体に結合された状態では、ウオッチ本体と協働してウオッチタイプの電波修正時計を形成するように、時刻情報を含む標準電波を受信する小型の標準電波受信部と、受信した標準電波から取出した時刻情報を修正時刻データとしてウオッチ本体の受信コイルに送る送受信コイルとを備えたものと、
交流電源駆動の据置型の親機であって、時刻情報を含む標準電波を受信する大型の標準電波受信部と、受信した標準電波から取出した時刻情報を修正時刻データとして送出する送信コイルを備え、ウオッチ本体が単独で該親機に装着された際には、送信コイルからウオッチ本体の修正時刻データ受信コイルに両コイルの電磁誘導結合を介して修正時刻データを与えると共にウオッチ本体の二次電池を充電するように構成され、ウオッチ本体及びウオッチタイプ電波修正時計枠体が親機に装着された際には、送信コイルからウオッチ本体の修正時刻データ受信コイルに両コイルの電磁誘導結合を介して修正時刻データを与えると共に、送信コイルとウオッチ本体の修正時刻データ受信コイル及び枠体の送受信コイルの夫々との電磁誘導結合を介してウオッチ本体及び枠体の小型及び大型の二次電池を充電するように構成されたものと
を有する電波修正時計システム。
【請求項２】
ウオッチタイプの電波修正時計が親機にセットされた状態では、親機、枠体及びウオッチ本体の三つのコイルが実質的に同心に位置する請求項１に記載の電波修正時計システム。
【発明の詳細な説明】
【０００１】
【発明の属する技術分野】
本発明は、電波修正時計に係わり、より詳しくは、ウオッチタイプの電波修正時計に係わる。
【０００２】
【従来の技術及び発明が解決しようとする課題】
時刻情報を含む標準電波を利用してウオッチの表示時刻を修正するウオッチタイプの電波修正時計は知られている。しかしながら、従来の一般のウオッチタイプ電波修正時計では、受信アンテナのサイズ等に起因して、そのサイズが、通常のウオッチとしては大きくなり過ぎるのを避け難い。
【０００３】
一方、時刻情報を含む標準電波を受信する標準電波受信部と受信した標準電波から取出した時刻情報を修正時刻データとしてウオッチ本体のデータ受信手段に送るデータ送信手段とを備え、ウオッチ本体に結合された状態ではウオッチ本体と協働してウオッチタイプの電波修正時計を形成する電波修正機構部をウオッチ本体に着脱可能にしたウオッチタイプ電波修正時計も提案されている。しかしながら、このウオッチタイプの電波修正時計では、電波修正機構部の電力消費が大きくなり易いことからウオッチ本体の電池が短時間で消耗し易い。
【０００４】
なお、ウオッチのような極めて小型の機器に関するものではないけれども、小型化や軽量化が要求される携帯型の機器の表示時刻を標準電波を利用して修正し得るようにするために、携帯型機器の二次電池の充電器等に電波修正機構を組込むと共に該電波修正機構で得られた修正時刻データを充電の際携帯型機器に与えて該携帯型機器の表示時刻を修正することも提案されている（例えば、登録実用新案第３０６３１１６号公報や特開２０００−２７０４８７）。
【０００５】
しかしながら、これらは、小型の機器自体に電波修正機能を持たせるものではない。
【０００６】
本発明は前記諸点に鑑みなされたものであって、その目的とするところは、ウオッチをＴＰＯに応じて電波修正時計として使用したり単なる時計として使用可能にすると共に、電波修正機能を有するが故の使用可能時間の低下を最小限に抑え得る電波修正時計システムを提供することにある。
【０００７】
【課題を解決するための手段】
本発明の電波修正時計システムは、前記目的を達成すべく、時計機構と、修正時刻データ受信コイルを含み該コイルで受信した修正時刻データに従って時計機構の表示時刻を修正する時刻修正機構と、時計機構及び時刻修正機構の電源として働く小型の二次電池とを備えたウオッチ本体（以下では、「孫機」ともいう）と、
電源として大型の二次電池を備えウオッチ本体に着脱可能なウオッチタイプ電波修正時計枠体であって、ウオッチ本体に結合された状態では、ウオッチ本体と協働してウオッチタイプの電波修正時計を形成するように、時刻情報を含む標準電波を受信する小型の標準電波受信部と、受信した標準電波から取出した時刻情報を修正時刻データとしてウオッチ本体の受信コイルに送る送受信コイルとを備えたもの（以下では、「子機」ともいう）と、
交流電源駆動の据置型の親機であって、時刻情報を含む標準電波を受信する大型の標準電波受信部と、受信した標準電波から取出した時刻情報を修正時刻データとして送出する送信コイルを備え、ウオッチ本体が単独で該親機に装着された際には、送信コイルからウオッチ本体の修正時刻データ受信コイルに両コイルの電磁誘導結合を介して修正時刻データを与えると共にウオッチ本体の二次電池を充電するように構成され、ウオッチ本体及びウオッチタイプ電波修正時計枠体が装着された際には、送信コイルからウオッチ本体の修正時刻データ受信コイルに両コイルの電磁誘導結合を介して修正時刻データを与えると共に、送信コイルとウオッチ本体の修正時刻データ受信コイル及び枠体の送受信コイルの夫々との電磁誘導結合を介してウオッチ本体及び枠体の小型及び大型の二次電池を充電するように構成されたもの（「親機」）と
を有する。
【０００８】
本発明の電波修正システムでは、孫機単独では通常のウオッチとして働き、孫機と子機とを組合せた状態では、ウオッチタイプの電波修正時計として働くから、ＴＰＯに応じて電波修正時計として又は単なる時計として使用可能である。
【０００９】
また、本発明の電波修正システムでは、ウオッチ本体（孫機）だけでなく枠体（子機）にも別々に二次電池が設けられているので、時計単独としての使用の場合にも、ウオッチタイプ電波修正時計としての使用の場合にも、電池の消耗（使用可能時間の低下）が比較的抑制され得る。特に、電波修正のための標準電波の検出から時刻情報の抽出までのプロセスで要する電力消費が、枠体にウオッチ本体とは別個に設けた大型の二次電池によって支えられるから、ウオッチ本体が電波修正時計として使用可能であるにもかかわらず、電波修正時計としての使用により、ウオッチ本体の二次電池が消耗（使用可能時間が低下）する虞れが最小限に抑えられ得る。なお、二次電池に関して、「大型」及び「小型」とは、相対的に、「大型」（「小型」）の二次電池が「小型」（「大型」）の二次電池よりも容量（Ａｈｒ）が大きく（小さく）且つサイズも大きい（小さい）ことをいう（標準電波受信部のサイズ及び感度についても同様に相対的なものである）。更に、本発明の電波修正時計システムでは、標準電波受信アンテナの配備によりサイズがある程度大きくなることが避け難い枠体（子機）に大型の二次電池を設けるようにしたことにより、枠体としては過度なサイズの増大をもたらすことなく、ウオッチタイプ電波修正時計の使用可能時間を増大させ得る。従って、電波修正機能を有するが故の使用時間の低下が最小限に抑えられ得る。
【００１０】
更に、本発明の電波修正時計システムでは、時刻修正などのためにウオッチ本体（孫機）が親機に装着された際に孫機の二次電池が孫機の受信コイルと親機の送信コイルとの電磁誘導結合を介して同時に充電され得るだけでなく、時刻修正などのために孫機及び子機が親機に装着された際、孫機の二次電池が孫機の受信コイルと親機の送信コイルとの電磁誘導結合を介して充電され且つ子機の二次電池が子機の送受信コイルと親機の送信コイルとの電磁誘導結合を介して充電され得るので、親機がウオッチ本体の時計機能及び枠体の電波修正機能のためのエネルギを同時に補充し得る。
【００１１】
本発明の電波修正時計システムでは、典型的には、ウオッチタイプの電波修正時計が親機にセットされた状態では、親機、子機及び孫機の三つのコイルが実質的に同心に位置する。
【００１２】
この場合、子機と孫機とを一体化したウオッチタイプ電波修正時計の状態のままで、親機に装着することが可能になるだけでなく、親機のサイズも比較的小さく抑え得る。但し、所望ならば、子機と孫機とが並置されて親機に装着され、夫々の二次電池の充電及び孫機の時刻修正が行われるようにしておいてもよい。
【００１３】
【発明の実施の形態】
本発明の好ましい一実施の形態を添付図面に示した好ましい一実施例に基づいて説明する。
【００１４】
【実施例】
図１に示した本発明による好ましい一実施例の電波修正時計システム１は、交流電源駆動の据置型の親機１０と、ウオッチタイプ電波修正時計用の枠体としての子機３０と、ウォッチ本体としての孫機５０とからなる。
【００１５】
孫機すなわちウオッチ本体５０は、時計機構５１と、修正時刻データ受信コイル５２を含み該コイル５２で受信した修正時刻データに従って時計機構の表示時刻を修正する時刻修正機構５３と、時計機構５１及び時刻修正機構５３の電源として働く小型の二次電池５４とを有する。
【００１６】
より詳しくは、例えば、孫機５０の機能関連ブロック図を示した図２の（ａ）からわかるように、時計機構５１は、単独で、腕時計として用いられるように構成されたものであって、内部の電子的な時計回路５５と、時計回路５５で計時された時刻データを保持する時刻データ格納部５６と、時刻データ格納部５６に格納された時刻データの内容（時刻）を表示する時刻表示部５７とを有する。時刻表示部５７は、典型的には、例えば、針（時針、分針及び秒針）と該針を駆動するステップモータとからなる。また、時刻修正機構５３は、修正時刻データ受信コイル５２と、該受信コイル５２で受信した受信信号中に含まれる修正時刻データを取出して、修正時刻データとして時計機構５１の時刻データ格納部５６に与える修正時刻データ抽出部５８とを有する。受信コイル５２は、例えば、ウオッチ本体５０の裏面の近傍に配置された薄型のコイルからなり、所望ならば、磁性材料の芯体を含んでいてもよい。孫機５０は、更に、受信コイル５２で受信した磁場エネルギを利用して小型二次電池５４を充電する充電回路５９を含む。なお、ウオッチ本体５０は、典型的には、腕時計として腕に装着されるベルト等（図示せず）を含む。
【００１７】
子機すなわちウオッチタイプ電波修正時計枠体３０は、電源として大型の二次電池３１を備えウオッチ本体５０に着脱可能であり、ウオッチ本体５０に結合された状態ではウオッチ本体５０と協働してウオッチタイプの電波修正時計２（図１）を形成する。このために、子機３０は、時刻情報を含む標準電波を受信する小型の標準電波受信部３２と、受信した標準電波から取出した時刻情報を修正時刻データとしてウオッチ本体５０の受信コイル５２に送る送信コイル３３とを有する。
【００１８】
より詳しくは、例えば、子機３０の機能関連ブロック図を示した図２の（ｂ）からわかるように、標準電波受信部３２は、標準電波受信アンテナ３４と、該アンテナ３４と協働して標準電波を受信する受信回路とを含む。子機３０は、標準電波受信部３２で受信した標準電波から時刻情報（標準時の情報）を取出す時刻情報抽出部３５と、該抽出部３５で取出された時刻情報を送受信コイル３３を介して修正時刻データとして送信させる修正時刻データ送信制御部３６とを有し、受信アンテナ３４で受信した標準電波中の時刻情報を、孫機５０の受信コイル５２及びデータ抽出部５８で受信・抽出可能な時間的に変動する変動磁場信号として送信する。なお、子機３０は、更に、コイル３３で受信したエネルギを利用して大型二次電池３１を充電する充電回路３７を含む。
【００１９】
子機３０は、典型的には、例えば図１に断面で示したように底の浅い容器ないし皿状で、その中央の円盤状凹部３８に孫機５０が装着可能で、孫機５０を子機３０の凹部３８に嵌着した状態では、孫機５０の受信コイル５２と容器状子機３０の底部に埋設された送受信コイル３３とが、中心線Ｃに関して、同心状に近接・対向して位置する。但し、所望ならば、受信コイル５２及び送受信コイル３３が中心線に関して同心状でなくてもよい。また、子機３０に孫機５０が嵌着される凹部を設けておく代わりに、子機３０が孫機５０の一側面に装着されるように構成されていてもよい。いずれの場合でも、コイル５２、３３は、電磁誘導結合可能なように、近接・対向する位置を採る。
【００２０】
孫機すなわちウオッチ本体５０が子機すなわち枠体３０の凹部３８に装着されると、全体として、ウオッチタイプの電波修正時計２になる。従って、電波修正時計２を所望の状態に手で保持しておいて、子機３０に設けられた押しボタンスイッチ等（図示せず）を押圧して電波修正動作の開始を指示すると、標準電波受信部３２の受信アンテナ３４で標準電波が受信され、標準時の時刻情報抽出部３５で標準電波に含まれる時刻情報が抽出され、送信制御部３６の制御下で送受信コイル３３から修正時刻データを含む変動磁場信号が出され、この変動磁場が孫機５０の受信コイル５２で受信され、孫機５０のデータ抽出部５８で修正時刻データが抽出され、時刻データ格納部５６に送られて、時刻表示部５７で表示される。このとき、子機３０の各機能部分すなわち回路部品は、該子機３０に設けられた二次電池３１で駆動される。
【００２１】
親機１０は、典型的には交流商用電源で駆動される据置型の装置であり、時刻情報を含む標準電波を受信する大型の標準電波受信部１１と、受信した標準電波から取出した時刻情報を修正時刻データとして送出する送信コイル１２を有する。なお、ここで、「据置型」とは、ウオッチのように携帯状態で使用されるものではないことをいい、典型的には、片手で持って持運び可能で、据置場所の変更が容易に行われ得る程度のものである。
【００２２】
より詳しくは、例えば、親機１０の機能関連ブロック図を示した図２の（ｃ）からわかるように、標準電波受信部１１は、比較的大型の標準電波受信アンテナ１３と、該アンテナ１３と協働して標準電波を受信する受信回路とを含む。親機１０の受信アンテナ１３は、子機３０の受信アンテナ３４よりも、サイズが大きく感度が高い。親機１０は、標準電波受信部１１で受信した標準電波から時刻情報を取出す時刻情報抽出部１４と、該抽出部１４で取出された時刻情報を送信コイル１２を介して修正時刻データとして送信させる修正時刻データ送信制御部１５とを有し、受信アンテナ１３で受信した標準電波中の時刻情報を、孫機５０の受信コイル５２及びデータ抽出部５８で受信・抽出可能な時間的に変動する変動磁場信号として送信する。この親機１０は、子機３０や孫機５０とは異なり、二次電池３１、５４ではなくて典型的には交流電源１６で駆動されるものであって、交流電源１６からのエネルギを直流に変換して関連回路や機器を駆動する電源回路１７を備える。
【００２３】
なお、親機１０の筐体１８の表面１９には、典型的には、例えば、図１に想像線で示したように、子機３０を配置する位置決め部２０や孫機５０を配置する位置決め部２１を、例えば、凹凸などの位置決め係合部や単なる位置決め線の形で備える（図１では、関連部分の見易さのために、親機１０に対して子機３０が相対的に大きく描かれている）。子機３０や孫機５０を所定位置２０や２１に配置した状態では、子機３０の送受信コイル３３及び孫機５０の受信コイル５２と親機１０の送信コイル１２とが、中心線Ｃに関して、同心状に位置する。但し、所望ならば、例えば、孫機５０の受信コイル５２や子機３０の送受信コイル３３が同心状に配置される代わりに並置されてもよい。
【００２４】
孫機すなわちウオッチ本体５０が単独で親機１０の筐体１８の表面１９の符号２１で示した所定位置又はその近傍に装着され親機１０の電波修正指示スイッチ（図示せず）が押圧されて電波修正指示が出された場合、子機３０に孫機５０が装着された場合と同様に、親機１０の送信コイル１２からウオッチ本体５０の修正時刻データ受信コイル５２に両コイル１２、５２の電磁誘導結合を介して修正時刻データを与えられて、孫機５０の時刻表示部５７の表示時刻が修正される。なお、標準電波による時刻修正動作は、スイッチ（図示せず）の押圧等でユーザにより開始指示される代わりに、夜間の特定の時刻などに起動されるようにしておいてもよい（孫機５０と子機３０との組合せの場合も同様）。
【００２５】
孫機すなわちウオッチ本体５０が単独で親機１０の上記所定位置２１又はその近傍に載置された場合、更に、交流電源１６の電気エネルギが、親機１０の送信コイル１２からウオッチ本体５０の受信コイル５２に両コイル１２、５２の電磁誘導結合を介して電磁エネルギの形で伝達され、孫機５０の充電回路５９で調整された充電条件下でウオッチ本体５０の二次電池５４が充電される。この充電動作は、電波修正と同時に行ってもよいけれども、電波修正を正確に短時間で行うためには、電波修正の前や後に、行うようにしてもよい。
【００２６】
ウオッチ本体（孫機）５０及びウオッチタイプ電波修正時計枠体（子機）３０が一体化されてなるウオッチタイプ電波修正時計２が親機１０の所定位置２０又はその近傍に載置され親機１０の電波修正指示スイッチ（図示せず）が押圧されて電波修正指示が出された場合、孫機５０が親機１０に単独で載置された場合と同様に、親機１０の送信コイル１２からウオッチ本体５０の修正時刻データ受信コイル５２に両コイル１２、５２の電磁誘導結合を介して修正時刻データが与えて、孫機５０の時刻データ格納部５６及び時刻表示部５７のデータ及び表示時刻が修正される。
【００２７】
ウオッチタイプ電波修正時計２が親機１０の所定位置２０又はその近傍に載置された場合、孫機５０が親機１０に単独で載置された場合と同様に、孫機５０の二次電池５４が充電され、且つ親機１０の送信コイル１２と子機３０の送受信コイル３３との電磁誘導結合を介して充電回路３７の制御下で子機３０の大型の二次電池３１が充電される。すなわち、この場合、親機１０のコイル１２と、子機３０の送受信コイル３３と、孫機５０の受信コイル３３とが同心状に位置することになるから、子機３０及び孫機５０の二次電池３１及び５４が同時に充電され得る。
【００２８】
例えば、図３に示したように、子機３０のコイル３３の径が親機１０のコイル１２の径よりも小さくて孫機５０のコイル５２の径よりも大きく、且つ子機３０のコイル３３が孫機５０のコイル５２よりも親機１０のコイル１２に近接して位置する場合、容量のより大きい子機３０の二次電池３１への充電が容量のより小さい孫機５０の二次電池５２への充電よりも効果的に行われ得るから、二つの二次電池３１、５２の充電に要する時間が同程度になり、全体の充電時間も最小限に抑えられ得る。従って、例えば、一方の二次電池が過充電になる虞れも最小限に抑えられ得る。
【００２９】
なお、親機１０は、孫機５０の時計機構５１及びその表示部５７と同様な時計機構２２及び表示部２３（図１で示した例ではデジタル式の液晶表示）を有し、時刻情報抽出部１４で抽出された標準時情報に基づいて、時刻表示が修正される。表示部２３は、時計機構の一部である代わりに、単に、電波修正動作が行われるときの時刻情報を表示するようになっていてもよい。
【図面の簡単な説明】
【図１】本発明による好ましい一実施例のウオッチタイプの電波修正時計システムの一部破断斜視説明図。
【図２】図１のシステムの模式的な機能ブロック図で、（ａ）は孫機のブロック図、（ｂ）は子機のブロック図、（ｃ）は親機のブロック図。
【図３】図１の孫機及び子機を一体化して親機に装着した場合におけるシステムの三つのコイルの相対的な位置を模式的に示した説明図。
【符号の説明】
１  ウオッチタイプの電波修正時計システム
２  ウオッチタイプ電波修正時計
１０  親機
１１  標準電波受信部
１２  送信コイル
１３  受信アンテナ
３０  子機（枠体）
３１  二次電池
３２  標準電波受信部
３３  送受信コイル
３４  受信アンテナ
３７  充電回路
５０  孫機（ウオッチ本体）
５１  時計機構
５２  受信コイル
５３  時刻修正機構
５４  二次電池
５７  時刻表示部
５９  充電回路
Ｃ  中心軸線
【図１】
0003673216.tif 000002
【図２】
0003673216.tif 000003
【図３】
0003673216.tif 000004